(57)【要約】  本発明は、引出し側壁（１）であって、カバー形材（２）と、引出し側壁（１）に前板（４）を解離可能に固定するための固定装置（３）とを備えており、このとき固定装置（３）は少なくとも大部分が、カバー形材（２）の内部に配置されている、引出し側壁（１）に関し、このときカバー形材（２）は、内壁（５）を有していて、かつ引出し側壁（１）は、カバー形材（２）および固定装置（３）とは別個の多機能構成部材（６）を有しており、多機能構成部材（６）は、少なくとも部分的に、カバー形材（２）の内壁（５）と固定装置（３）との間に配置されており、このとき固定装置（３）は、それ自体閉鎖された機能ユニットを形成しており、これによって前板（４）に取り付けるべき家具用金具（１１）が、多機能構成部材（６）とは無関係に固定装置（３）を用いて解離可能に固定可能であり、かつこのときさらに少なくとも２つの構成が、下記の構成グループ、すなわち、- 多機能構成部材（６）は、引出し側壁（１）の長手延在方向（７）に対して横方向に互いに間隔をおいて配置された少なくとも２つの支持構造体（８，９）を有していて、該支持構造体（８，９）にカバー形材（２）が支持されているという構成、- 多機能構成部材（６）は、固定装置（３）内への、前板（４）に取り付けるべき家具用金具（１１）の挿入を容易にするための、固定すべき前板（４）の方向に向いている接合装置（１０）を有しているという構成、- カバー形材（２）は、カバー部材（１３）によって覆うことができる開口（１２）を有していて、このとき多機能構成部材（６）は、カバー部材（１３）を、開口（１２）を覆っている場合に支持可能な支持構造体（１４）を含んでいるという構成、- 固定装置（３）は、引出し側壁（１）に対する前板（４）の位置を調節するための少なくとも１つの調節装置（１５，１６）、および／または固定装置（３）に前板（４）をロックしかつ／または固定装置（３）から前板（４）を解離するための装置（１７）を有しており、このとき多機能構成部材（６）は、少なくとも１つの調節装置（１５，１６）、もしくは使用者による前板（４）のロックおよび／または解離のための装置（１７）の操作を容易にするための、線（１８）から成る操作指示を含んでいるという構成、- 固定装置（３）は、引出し側壁（１）に対して相対的に可動の少なくとも１つの部材（１９）を有していて、このとき多機能構成部材（６）は、引出し側壁（１）に対する相対的な移動時に、可動の部材（１９）を少なくとも部分的に覆うためのカバー（２０）を含んでいるという構成、およびカバー形材（２）は、載着要素（２２）を取り付けるための少なくとも１つの接続箇所（２１）を有しており、このとき接続箇所（２１）は、カバー形材（２）における開口（２３）を含んでいて、かつ多機能構成部材（６）は、第１の位置において開口（２３）を閉鎖しかつ第２の位置において開口（２３）を開放する、可動に支持されたカバー部材（２４）を含んでいるという構成から選択されている。
2021506489.tif 000002
【特許請求の範囲】
【請求項１】
引出し側壁（１）であって、カバー形材（２）と、当該引出し側壁（１）に前板（４）を解離可能に固定するための固定装置（３）とを備えており、前記固定装置（３）は少なくとも大部分が、前記カバー形材（２）の内部に配置されている、引出し側壁（１）において、
前記カバー形材（２）は、内壁（５）を有しており、当該引出し側壁（１）は、前記カバー形材（２）および前記固定装置（３）とは別個の多機能構成部材（６）を有しており、前記多機能構成部材（６）は、少なくとも部分的に、前記カバー形材（２）の前記内壁（５）と前記固定装置（３）との間に配置されており、前記固定装置（３）は、それ自体閉鎖された機能ユニットを形成しており、これによって前記前板（４）に取り付けるべき家具用金具（１１）が、前記多機能構成部材（６）とは無関係に前記固定装置（３）を用いて解離可能に固定可能であり、かつさらに以下の構成グループ、すなわち、
前記多機能構成部材（６）は、当該引出し側壁（１）の長手延在方向（７）に対して横方向に互いに間隔をおいて配置された少なくとも２つの支持構造体（８，９）を有していて、該支持構造体（８，９）に前記カバー形材（２）が支持されているという構成、
前記多機能構成部材（６）は、前記固定装置（３）内への、前記前板（４）に取り付けるべき前記家具用金具（１１）の挿入を容易にするための、固定すべき前記前板（４）の方向に向いている接合装置（１０）を有しているという構成、
前記カバー形材（２）は、カバー部材（１３）によって覆うことができる開口（１２）を有していて、前記多機能構成部材（６）は、前記カバー部材（１３）が前記開口（１２）を覆っている場合に該カバー部材（１３）を支持可能な支持構造体（１４）を含んでいるという構成、
前記固定装置（３）は、当該引出し側壁（１）に対する前記前板（４）の位置を調節するための少なくとも１つの調節装置（１５，１６）、および／または前記固定装置（３）に前記前板（４）をロックしかつ／または前記固定装置（３）から前記前板（４）を解離するための装置（１７）を有しており、前記多機能構成部材（６）は、前記少なくとも１つの調節装置（１５，１６）、もしくは前記前板（４）のロックおよび／または解離のための前記装置（１７）の使用者による操作を容易にするための、線（１８）から成る操作指示を含んでいるという構成、
前記固定装置（３）は、当該引出し側壁（１）に対して相対的に可動の少なくとも１つの部材（１９）を有していて、前記多機能構成部材（６）は、前記可動の部材（１９）の当該引出し側壁（１）に対する相対的な移動時に、前記可動の部材（１９）を少なくとも部分的に覆うためのカバー（２０）を含んでいるという構成、および
前記カバー形材（２）は、載着要素（２２）を取り付けるための少なくとも１つの接続箇所（２１）を有しており、前記接続箇所（２１）は、前記カバー形材（２）における開口（２３）を含んでいて、かつ前記多機能構成部材（６）は、第１の位置において前記開口（２３）を閉鎖しかつ第２の位置において前記開口（２３）を開放する、可動に支持されたカバー部材（２４）を含んでいるという構成
から選択された少なくとも２つの構成を備えている
ことを特徴とする、引出し側壁（１）。
【請求項２】
少なくとも、前記カバー形材（２）は、カバー部材（１３）によって覆うことができる開口（１２）を有していて、前記多機能構成部材（６）は、前記カバー部材（１３）が前記開口（１２）を覆っている場合に該カバー部材（１３）を支持可能な支持構造体（１４）を含んでいるという構成を備えており、かつ少なくとも、前記カバー形材（２）は、載着要素（２２）を取り付けるための少なくとも１つの接続箇所（２１）を有しており、前記接続箇所（２１）は、前記カバー形材（２）における開口（２３）を含んでいて、かつ前記多機能構成部材（６）は、第１の位置において前記開口（２３）を閉鎖しかつ第２の位置において前記開口（２３）を開放する、可動に支持されたカバー部材（２４）を含んでいるという構成を備えている、
請求項１記載の引出し側壁（１）。
【請求項３】
少なくとも、前記多機能構成部材（６）は、当該引出し側壁（１）の長手延在方向（７）に対して横方向に互いに間隔をおいて配置された少なくとも２つの支持構造体（８，９）を有していて、該支持構造体（８，９）に前記カバー形材（２）が支持されているという構成を備えており、かつ１つのばね要素（２５）が設けられていて、該ばね要素（２５）に前記両支持構造体（８，９）のうちの一方の支持構造体が配置されていて、前記ばね要素（２５）は、前記一方の支持構造体（９）に、前記カバー形材（２）の内壁（２７）へ向けて力を加える、
請求項２記載の引出し側壁（１）。
【請求項４】
少なくとも、前記多機能構成部材（６）は、前記固定装置（３）内への、前記前板（４）に取り付けるべき前記家具用金具（１１）の挿入を容易にするための、固定すべき前記前板（４）の方向に向いている接合装置（１０）を有しているという構成を備えており、かつ前記接合装置（１０）は、当該引出し側壁（１）の長手延在方向（７）に対して斜めに配置されている少なくとも１つの逸らせ輪郭部（２８）を含んでいる、
請求項１から３までのいずれか１項記載の引出し側壁（１）。
【請求項５】
少なくとも、前記カバー形材（２）は、カバー部材（１３）によって覆うことができる開口（１２）を有していて、前記多機能構成部材（６）は、前記カバー部材（１３）が前記開口（１２）を覆っている場合に該カバー部材（１３）を支持可能な支持構造体（１４）を含んでいるという構成を備えており、かつ前記多機能構成部材（６）は、少なくとも１つのばね要素（２９）を有していて、該ばね要素（２９）を介して前記多機能構成部材（６）は、当該引出し側壁（１）の位置固定の部分（３０）に支持されていて、かつ前記ばね要素（２９）は、前記カバー形材（２）の前記開口（１２）の方向へ力を加えることができる、
請求項１から４までのいずれか１項記載の引出し側壁（１）。
【請求項６】
少なくとも、前記固定装置（３）は、当該引出し側壁（１）に対する前記前板（４）の位置を調節するための少なくとも１つの調節装置（１５，１６）、および／または前記固定装置（３）に前記前板（４）をロックしかつ／または前記固定装置（３）から前記前板（４）を解離するための装置（１７）を有しており、前記多機能構成部材（６）は、前記少なくとも１つの調節装置（１５，１６）、もしくは前記前板（４）のロックおよび／または解離のための前記装置（１７）の使用者による操作を容易にするための、線（１８）から成る操作指示を含んでいるという構成を備えており、かつ前記線（１８）は、前記多機能構成部材（６）にエンボス加工されているか、または彫り込まれている、
請求項１から５までのいずれか１項記載の引出し側壁（１）。
【請求項７】
少なくとも、前記固定装置（３）は、当該引出し側壁（１）に対して相対的に可動の少なくとも１つの部材（１９）を有していて、前記多機能構成部材（６）は、当該引出し側壁（１）に対する前記可動の部材（１９）の相対的な移動時に、前記可動の部材（１９）を少なくとも部分的に覆うためのカバー（２０）を含んでいるという構成を備えており、かつ前記カバー（２０）は、前記可動の部材（１９）を操作するための、１０ｍｍ、好ましくは８ｍｍの最大幅（３２）を備えた少なくとも１つの操作開口（３１）を有している、
請求項１から６までのいずれか１項記載の引出し側壁（１）。
【請求項８】
少なくとも、前記カバー形材（２）は、載着要素（２２）を取り付けるための少なくとも１つの接続箇所（２１）を有しており、前記接続箇所（２１）は、前記カバー形材（２）における開口（２３）を含んでいて、前記多機能構成部材（６）は、第１の位置において前記開口（２３）を閉鎖しかつ第２の位置において前記開口（２３）を開放する、可動に支持されたカバー部材（２４）を含んでいるという構成を備えており、かつばね要素（３３）が設けられていて、該ばね要素（３３）によって、前記カバー部材（２４）に対して、前記第１の位置の方向におけるばね要素（３３）の作用方向に予荷重が加えられている、
請求項１から７までのいずれか１項記載の引出し側壁（１）。
【請求項９】
前記多機能構成部材（６）は、前記固定装置（３）を少なくとも部分的に取り囲んでいる、
請求項１から８までのいずれか１項記載の引出し側壁（１）。
【請求項１０】
前記多機能構成部材（６）は、好ましくは少なくとも１つのスナップ結合部および／または係止結合部（３４）を介して、前記固定装置（３）に結合されている、
請求項１から９までのいずれか１項記載の引出し側壁（１）。
【請求項１１】
当該引出し側壁（１）は、支持形材（３５）を有していて、該支持形材（３５）に、前記カバー形材（２）、前記固定装置（３）、および／または前記多機能構成部材（６）が配置されている、
請求項１から１０までのいずれか１項記載の引出し側壁（１）。
【請求項１２】
前記多機能構成部材（６）は、主としてプラスチックから成っている、
請求項１から１１までのいずれか１項記載の引出し側壁（１）。
【請求項１３】
請求項１から１２までのいずれか１項記載の少なくとも１つの引出し側壁（１）を備えた引出し。
【発明の詳細な説明】
【技術分野】
【０００１】
本発明は、引出し側壁であって、カバー形材と、引出し側壁に前板を解離可能に固定するための固定装置とを備えており、このとき固定装置は少なくとも大部分が、カバー形材の内部に配置されている、引出し側壁に関する。さらに本発明は、少なくとも１つのこのような引出し側壁を備えた引出しに関する。
【０００２】
カバー形材と一体に組み込まれた固定装置とを備えた引出し側壁は、従来技術に基づいて既に公知である。このような引出し側壁には、複数の欠点がある。
【０００３】
通常、固定装置は、カバー形材の内壁から間隔をおいて配置されている。これによってカバー形材は、少なくとも前側領域において固定装置に対して遊びを有している。これによって引出し側壁が不安定になる。
【０００４】
さらに固定装置内に、前板に取り付けるべき家具用金具を挿入することは、使用者にとって困難であるように構成されている。それというのは、家具用金具は、固定装置の確定された箇所において導入されねばならないからであり、そしてこの動作は、まさに前板が重い場合には、２回または３回の試行において初めて成功する。
【０００５】
さらに固定装置は、通常、使用者が操作すべき複数の操作ねじまたはこれに類したものを含んでおり、これらの操作ねじまたはこれに類したものは、外部から接近可能でなくてはならない。これによって多くの場合、美しくない外観が生じることになる。さらに使用者には、使用者がどのように操作ねじを操作する必要があるのかについて、しばしば明らかでない。しかも最後に、固定装置は、通常、可動の部材を含んでおり、これらの可動の部材においては、使用者が指を怪我するおそれがある。
【０００６】
さらにまた別の欠点は、引出し側壁が多くの場合、載着要素によって上方に向かって拡大されてしまう点にもある。例えばガラス壁または金属壁の形態の、このような載着要素は、何らかの形式において、引出し側壁に結合されねばならない。このことによっても同様に、美しくない外観が生じることになる。
【０００７】
本発明の課題は、従来技術におけるこれらの欠点のうちの少なくとも幾つかの欠点を回避すること、および従来技術に対して改善された引出し側壁、もしくはこのように改善された少なくとも１つの引出し側壁を含む引出しであって、特に、高められた安定性、使用者のための高められた操作快適性、および／または比較的魅力的な外観によって傑出している、引出し側壁もしくは引出しを提供することである。
【０００８】
この課題は、独立請求項である請求項１および請求項１３記載の特徴によって解決される。
【０００９】
したがって本発明に係る引出し側壁では、カバー形材は、内壁を有していて、かつ引出し側壁は、カバー形材および固定装置とは別個の多機能構成部材を有しており、多機能構成部材は、少なくとも部分的に、カバー形材の内壁と固定装置との間に配置されており、このとき固定装置は、それ自体閉鎖された機能ユニットを形成しており、これによって前板に取り付けるべき家具用金具が、多機能構成部材とは無関係に固定装置を用いて解離可能に固定可能であり、かつこのときさらに以下の構成グループ、すなわち、
多機能構成部材は、引出し側壁の長手延在方向に対して横方向に互いに間隔をおいて配置された少なくとも２つの支持構造体を有していて、該支持構造体にカバー形材が支持されているという構成、
多機能構成部材は、固定装置内への、前板に取り付けるべき家具用金具の挿入を容易にするための、固定すべき前板の方向に向いている接合装置を有しているという構成、
カバー形材は、カバー部材によって覆うことができる開口を有していて、このとき多機能構成部材は、カバー部材が開口を覆っている場合にカバー部材を支持可能な支持構造体を含んでいるという構成、
固定装置は、引出し側壁に対する前板の位置を調節するための少なくとも１つの調節装置、および／または固定装置に前板をロックしかつ／または固定装置から前板を解離するための装置を有しており、このとき多機能構成部材は、少なくとも１つの調節装置、もしくは前板のロックおよび／または解離のための装置の使用者による操作を容易にするための、線から成る操作指示を含んでいるという構成、
固定装置は、引出し側壁に対して相対的に可動の少なくとも１つの部材を有していて、このとき多機能構成部材は、可動の部材の引出し側壁に対する相対的な移動時に、可動の部材を少なくとも部分的に覆うためのカバーを含んでいるという構成、および
カバー形材は、載着要素を取り付けるための少なくとも１つの接続箇所（Schnittstelle）を有しており、このとき接続箇所は、カバー形材における開口を含んでいて、かつ多機能構成部材は、第１の位置において開口を閉鎖しかつ第２の位置において開口を開放する、可動に支持されたカバー部材を含んでいるという構成
から選択された少なくとも２つの構成を備えることが提案されている。
【００１０】
つまり本発明の重要な特徴は、カバー形材および固定装置とは別個の多機能構成部材が設けられており、この多機能構成部材は、少なくとも部分的に、カバー形材の内壁と固定装置との間に配置されており、好ましくはこのとき多機能構成部材は、固定装置を少なくとも部分的に取り囲んでいることにある。この多機能構成部材を用いて、安定性、操作快適性および／または引出し側壁の外観を改善する、少なくとも２つの機能を実現することができる。本発明によれば、全部で６つのこのような機能から成る構成グループが記載され、このときこれらの機能もしくは構成のうちの少なくとも２つの機能もしくは構成が満たされていなくてはならない。好ましくは、すべての機能もしくは構成が備えられている。
【００１１】
本発明の好適な実施形態によれば、少なくとも、カバー形材は、カバー部材によって覆うことができる開口を有していて、このとき多機能構成部材は、カバー部材が開口を覆っている場合にカバー部材を支持可能な支持構造体を含んでいるという構成が備えられており、かつ少なくとも、カバー形材は、載着要素を取り付けるための少なくとも１つの接続箇所を有しており、このとき接続箇所は、カバー形材における開口を含んでいて、かつ多機能構成部材は、第１の位置において開口を閉鎖しかつ第２の位置において開口を開放する、可動に支持されたカバー部材を含んでいるという構成を備えていることが提案されている。
【００１２】
多機能構成部材が、引出し側壁の長手延在方向に対して横方向に互いに間隔をおいて配置された少なくとも２つの支持構造体を有していて、該支持構造体にカバー形材が支持されているという構成によって、カバー形材の安定化を、特に引出し側壁の、前板に向けられた前側領域において達成することが可能である。
【００１３】
このことに関連して述べると、好適な発展形態では、両支持構造体のうちの一方の支持構造体が配置されているばね要素が設けられていて、かつ該ばね要素は、一方の支持構造体に、カバー形材の内壁の方向へ向けて力を加えるようになっている。このばね要素によって、一方では、カバー形材が多機能構成部材の損傷なしに取付け可能であるということが保証され、かつ他方では、ばね要素に配置されている支持構造体が、取り付けられた状態においてカバー形材の内壁に常に接触しているということが保証される。
【００１４】
多機能構成部材が、固定装置内への、前板に取り付けるべき家具用金具の挿入を容易にするための、固定すべき前板の方向に向いている接合装置を有しているという構成によって、使用者を家具用金具の挿入時に、家具用金具が固定装置内に挿入されねばならない正しい位置に導くことが可能であり、このとき固定装置またはカバー形材における家具用金具の引っ掛かりまたは傾倒が発生することはない。
【００１５】
挿入はさらに、接合装置が、引出し側壁の長手延在方向に対して斜めに配置されている少なくとも１つの逸らせ輪郭部を含んでいることによって、容易にすることができる。
【００１６】
カバー形材が、カバー部材によって覆うことができる開口を有していて、このとき多機能構成部材が、カバー部材が開口を覆っている場合にカバー部材を支持可能な支持構造体を含んでいるという構成によって、極めて薄い、ひいては視覚的に魅力的なカバー部材を実現することが可能である。それというのは、カバー部材は、多機能構成部材の支持構造体に直接支持されることができ、かつカバー部材のための別体の固定装置が必要ないからである。
【００１７】
このことに関連して、好適であることが判明している実施形態では、多機能構成部材は、少なくとも１つのばね要素を有していて、該ばね要素を介して多機能構成部材は、引出し側壁の位置固定の部分に支持されていて、かつばね要素は、カバー形材の開口の方向へ力を加えることができる。これによって、多機能構成部材は、カバー形材の開口の方向において押圧され、多機能構成部材の支持構造体とカバー形材の、開口が配置されている壁部分との間における遊びを最小にするという目標設定が達成され、これによって、カバー部材がカバー形材に対して滑ることなしに、カバー部材は確実に支持される。
【００１８】
固定装置が、引出し側壁に対する前板の位置を調節するための少なくとも１つの調節装置、および／または固定装置に前板をロックしかつ／または固定装置から前板を解離するための装置を有しており、かつ多機能構成部材が、少なくとも１つの調節装置、もしくは前板のロックおよび／または解離のための装置の使用者による操作を容易にするための、線から成る操作指示を含んでいるという構成によって、使用者には、調節装置、もしくは固定装置に前板をロックしかつ／または固定装置から前板を解離するための装置の操作時における助けを与えることが可能である。これによって、使用者のための操作快適性が高められる。
【００１９】
このことに関連して、好適であることが判明している実施形態では、線は、周囲の材料に対する凹部または隆起部の形態で形成されていて、かつ／または多機能構成部材にエンボス加工されているか、または彫り込まれている。
【００２０】
固定装置が、引出し側壁に対して相対的に可動の少なくとも１つの部材を有していて、かつ多機能構成部材が、引出し側壁に対する可動の部材の相対的な移動時に、可動の部材を少なくとも部分的に覆うためのカバーを含んでいるという構成によって、使用者に対する、例えば指における怪我のおそれを減じることが可能である。このことは、高められた操作快適性に伴って得られる。
【００２１】
このとき、カバーは、可動の部材を操作するための、１０ｍｍ、好ましくは８ｍｍの最大幅を備えた少なくとも１つの操作開口を有していることが提案される。これによって、小さな直径を有する指、例えば子供の指でさえも、引出し側壁に対して相対的な可動の部材の相対移動によって損傷されないことが保証される。
【００２２】
カバー形材が、載着要素を取り付けるための少なくとも１つの接続箇所を有しており、接続箇所は、カバー形材における開口を含んでいて、かつ多機能構成部材は、第１の位置において開口を閉鎖しかつ第２の位置において開口を開放する、可動に支持されたカバー部材を含んでいるという構成によって、引出し側壁に載着要素が載着されているか否かとは無関係に、常に、引出し側壁の魅力的な外観を得ることが可能である。
【００２３】
この効果は、ばね要素が設けられていて、該ばね要素によって、カバー部材に、第１の位置の方向におけるばね要素の作用方向に予荷重が加えられていることによって、促進することができる。これによって、載着要素が存在しない場合には、開口は自動的に覆われる。
【００２４】
多機能構成部材を固定するために、好適な実施形態によれば、多機能構成部材は、好ましくは少なくとも１つのスナップ結合部および／または係止結合部を介して、固定装置に結合されていることが提案されていてよい。
【００２５】
本発明のその他の好適な実施形態では、引出し側壁は、支持形材を有していて、該支持形材に、カバー形材、固定装置、および／または多機能構成部材が配置されており、かつ／または多機能構成部材は、主としてプラスチックから成っている。
【００２６】
次に本発明のさらなる詳細および利点について、図面を参照しながら図面の記載を用いて詳説する。
【図面の簡単な説明】
【００２７】
【図１】引出し側壁を示す斜視図である。
【図２ａ】引出し側壁の前側部分と、該引出し側壁に対して間隔をおいて配置された家具用金具とを示す斜視図である。
【図２ｂ】引出し側壁の前側部分と、固定装置にロックされた家具用金具とを示す斜視図である。
【図３ａ】引出し側壁を前板の方向から見た平面図であって、このとき固定装置の部分が省かれている平面図である。
【図３ｂ】多機能構成部材を示す斜視図である。
【図３ｃ】図３ｂとは異なる方向から見て多機能構成部材を示す斜視図である。
【図３ｄ】多機能構成部材を上から見た平面図である。
【図４ａ】引出し側壁の前側部分と概略的に示された家具用金具とを断面して示す斜視図であって、家具用金具がエラー位置にある場合を示す斜視図である。
【図４ｂ】引出し側壁の前側部分と概略的に示された家具用金具とを断面して示す斜視図であって、家具用金具が目標位置にある場合を示す斜視図である。
【図５ａ】カバー部材を備えた引出し側壁の前側部分を、カバー形材と共に、断面して示す斜視図である。
【図５ｂ】カバー部材を備えた引出し側壁の前側部分を、カバー形材なしに、断面して示す斜視図である。
【図５ｃ】図５ａに破線で略示された横断平面に沿って断面して、図５ａに示された引出し側壁を示す断面図である。
【図６ａ】多機能構成部材を示す斜視図である。
【図６ｂ】多機能構成部材を側方から見た平面図である。
【図７】引出し側壁の前側部分を、カバー部材なしに、側方から見た平面図である。
【図８ａ】引出し側壁と載着要素とから成るアセンブリを示す斜視図である。
【図８ｂ】図８ａにおいて円でマーキングされた部分を拡大して示す図であって、載着要素と引出し側壁との相対的な１つの位置を示す図である。
【図８ｃ】図８ａにおいて円でマーキングされた部分を拡大して示す図であって、載着要素と引出し側壁との相対的な別の位置を示す図である。
【図８ｄ】図８ａにおいて円でマーキングされた部分を拡大して示す図であって、載着要素と引出し側壁との相対的なさらに別の位置を示す図である。
【図９ａ】固定装置の取付けプレートと多機能構成部材とから成るアセンブリを、取付けプレートと多機能構成部材とが互いに間隔をおいた位置において、側方から見た平面図である。
【図９ｂ】固定装置の取付けプレートと多機能構成部材とから成るアセンブリを、取付けプレートと多機能構成部材とが固定された位置において、側方から見た平面図である。
【００２８】
図１には、カバー形材２と、引出し側壁１に前板を解離可能に固定するための固定装置３とを含む引出し側壁１が示されており、このとき固定装置３は、カバー形材２の内部に配置されている。図示の実施例では、カバー形材２は横断面で見てほぼＵ字形に形成されている。
【００２９】
固定装置３は、引出し側壁１の、前板に向けられた前側領域に配置されている。引出し側壁１は、その他に、背壁が固定可能である背壁ホルダ３６を備えた後端部も含んでいる。
【００３０】
引出し側壁１の長手延在方向には、符号７が付されている。
【００３１】
引出し側壁１の前端部の拡大された部分から看取できるように、引出し側壁１はさらにまた多機能構成部材６を含んでおり、この多機能構成部材６は、カバー形材２および固定装置３とは別個に形成されている。多機能構成部材６は、一方では前板に向けられた端面から、かつ他方ではカバー形材２の側壁における開口１２を通して認識可能である。多機能構成部材６の詳細については、後続の図面を用いて詳しく記載する。
【００３２】
引出し側壁１はさらに、カバー形材２、固定装置３、および多機能構成部材６が配置されている支持形材３５を含んでいる。
【００３３】
図２ａおよび図２ｂから看取できるように、固定装置３は、引出し側壁１に前板４（図２ａにおいて破線で略示）を解離可能に固定するために働く。そのために家具用金具１１が、例えばプラグ３７を介して前板４に取り付けられる。家具用金具１１は、内部にピン３８が配置されているＵ字形材３９を含んでいてよい。家具用金具１１は、解離された位置（図２ａ参照）またはロックされた位置（図２ｂ参照）に配置可能である。
【００３４】
図３ａ〜図３ｄは特に、多機能構成部材６が、引出し側壁１の長手延在方向７に対して横方向に互いに間隔をおいて配置された少なくとも２つの支持構造体によって形成される支持輪郭部８，９を有していて、これらの支持輪郭部８，９にカバー形材２が支持されているという構成を説明している。
【００３５】
両支持輪郭部のうちの、符号８が付されている一方の支持輪郭部は、面状に形成されていて、かつカバー形材２の内壁５（例えば図２ａ参照）に接触している。他方の支持輪郭部９は、ばね要素２５の自由端部に配置されていて、かつカバー形材２の、向かい合って位置している内壁２７（例えば図４ａ参照）に支持されている。つまり多機能構成部材６に関してのカバー形材２の位置は、正確に確定されている。
【００３６】
同時に多機能構成部材６は、一方では固定装置３の取付けプレート４０に結合されており（図９ａおよび図９ｂの記載参照）、このとき固定装置３自体は、支持形材３５に不動に結合されている。他方において多機能構成部材６は、２つのばね要素２９を介して、引出し側壁１の位置固定の部分３０に、もしくは具体的に図示された実施例では支持形材３５の位置固定の部分３０に支持されている。これによって固定装置３もしくは支持形材３５に対して相対的な多機能構成部材６の位置は決定されている。全体的に見ると、これによってしかしながらまた、支持形材３５に対して相対的なカバー形材２の位置も決定されており、これによって引出し側壁全体を安定させることができる。
【００３７】
ここで付言しておくと、支持輪郭部９が配置されているばね要素２５は、支持輪郭部９にカバー形材２の内壁２７の方向２６において力を加える。
【００３８】
図４ａおよび図４ｂは特に、多機能構成部材６が有している、固定すべき前板４の方向に向いている接合装置１０であって、前板４に取り付けるべき家具用金具１１の固定装置３内への挿入を容易にするための接合装置１０を説明している。
【００３９】
固定装置３は、特に、可動の部材１９を含んでおり、この可動の部材１９は、ばね荷重が加えられていてかつ回転可能に支持されたキャッチレバーとして形成されていて、このキャッチレバーは、家具用金具１１のピン３８を掴み、かつ引出し側壁１の後端部の方向に引っ張る。次いでピン３８、ひいては家具用金具１１はロックされる。家具用金具１１を再び固定装置３から解離したい場合には、そのためにキャッチレバー１９を、ドライバまたはこれに類したものを用いてキャッチ回転方向とは逆向きに旋回させることが必要である。これによって全体的に、固定装置３は、固定装置３に前板４をロックしかつ固定装置３から前板４を解離するための装置１７を含んでいる。
【００４０】
前板４もしくは該前板４に取り付けられた家具用金具１１をロックするためには、家具用金具１１を、固定装置３に対して相対的な予め確定された位置にもたらすことが必要である。このことは、常に１回の試行において成功するわけではなく、すなわち家具用金具１１は、固定装置３に対して相対的にエラー位置をとり、これによって従来技術では固定装置３における家具用金具１１の、かつ／またはカバー形材２のクランプロックまたは引っ掛かりを生ぜしめることがある。このことを阻止するために、かつ家具用金具１１もしくは前板４を、予め確定された位置の方向に移動させるために、多機能構成部材６は、逸らせ輪郭部２８を備えた接合装置１０を含んでおり、逸らせ輪郭部２８は、引出し側壁１の長手延在方向７に対して斜めに配置されている。つまりこの接合装置１０によって、使用者のための操作容易性が高められる。
【００４１】
図５ａ〜図５ｃは特に、カバー形材２が、カバー部材１３によって覆うことができる開口１２を有していて、このとき多機能構成部材６が、カバー部材１３が開口１２を覆っている場合にカバー部材１３を支持可能な支持構造体１４を有しているという構成を説明している。
【００４２】
カバー部材１３は、カバー形材２における開口１２を覆うために働き、この開口１２によって使用者には、固定装置３に前板４をロックしかつ固定装置３から前板４を解離するための装置１７への接近、および引出し側壁１に対する前板４の位置を調節するための調節装置１５，１６（図７も参照）への接近が可能になる。通常、これらの装置１５，１６，１７は、まれにしか必要とされない。いずれにせよ、出入り口は、美観的な理由から覆われることが望まれている。このときカバー要素１３は、カバー形材２の、開口１２が形成されている側面上に可能な限り僅かしか突出していないことが望まれており、これによって、引出しにおける対象物の配置を可能な限り僅かしか損なわないことが可能になる。
【００４３】
これらの要求を満たすために、カバー部材１３を極めて薄く形成すること、および以下のように引出し側壁１に解離可能に固定することが提案される。カバー部材１３は、一方では取付け位置において下縁部に２つの当付け舌片４１を有しており、両当付け舌片４１は、一方ではカバー形材２の内壁５に、かつ他方では多機能構成部材６の支持構造体１４に接触している（図５ｃの拡大された部分Ｂ参照）。他方においてカバー部材１３は、取付け位置において上縁部に２つのスナッパ４２を有しており、両スナッパ４２は、開口１２の縁部の後ろ側においてカバー形材２の内壁５にスナップ式に結合する（図５ｃの拡大された部分Ａ参照）。
【００４４】
既に図３ａ〜図３ｄとの関係において述べたように、多機能構成部材６には、引出し側壁１の位置固定の部分３０に接触している２つのばね要素２９を介して、カバー形材２の開口１２の方向に力が加えられる。
【００４５】
工具または使用者の指の爪を導入することができるスリット４３を介して、カバー部材１３を再び開口１２から取り外すことができる。
【００４６】
図６ａおよび図６ｂは特に、固定装置３が、引出し側壁１に対する前板４の位置を調節するための少なくとも１つの調節装置１５，１６、および／または固定装置３に前板４をロックしかつ／または固定装置３から前板４を解離するための装置１７を有していて、このとき多機能構成部材６が、少なくとも１つの調節装置１５，１６、もしくは前板４をロックしかつ／または前板４を解離するための装置１７の操作を示唆するための、線１８から成る操作指示を有しているという構成を説明している。
【００４７】
固定装置３は、既に述べた、固定装置３に前板４をロックしかつ固定装置３から前板４を解離するための装置１７の他に、さらに、引出し側壁１に対する前板４の位置を調節するための２つの調節装置１５，１６をも含んでいる（図７も参照）。このとき調節装置１５は、鉛直方向における引出し側壁１に対する前板４の相対的な位置を調節するために働き、調節装置１６は、水平方向における引出し側壁１に対する前板４の相対位置を調節するために働く。使用者に装置１５，１６，１７の操作を容易にするために、多機能構成部材６は線１８から成る操作指示を含んでいる。これらの操作指示は、多機能構成部材６にエンボス加工されているか、または彫り込まれていてよい。
【００４８】
図７は特に、固定装置３が、引出し側壁１に対して相対的に可動の少なくとも１つの部材１９を有しており、このとき多機能構成部材６は、引出し側壁１に対する可動の部材１９の相対的な移動時に、可動の部材１９を少なくとも部分的に覆うためのカバー２０を含んでいるという構成を説明している。
【００４９】
既に図４ａおよび図４ｂとの関係において述べたように、固定装置３は、ばね荷重を加えられたキャッチレバーの形態の可動の部材１９を含んでいる。この部材１９は、位置固定の引出し側壁１に対して相対的に移動するので、従来技術では、使用者が例えば指を怪我することがある。このことを回避するために、多機能構成部材６は、引出し側壁１に対する相対的な移動時に可動の部材１９を覆うカバー２０を有している。
【００５０】
同時にしかしながらまた、可動の部材１９を外側から操作する可能性が望まれていることもある。したがって多くの場合に操作開口３１が必要になる。これらの要求からの妥協策として、カバー２０は、可動の部材１９を操作するための、１０ｍｍ、好ましくは８ｍｍの最大幅３２を備えた少なくとも１つの操作開口３１を有していることが提案されていてよい。
【００５１】
図８ａ〜図８ｄは特に、カバー形材２が、載着要素２２を取り付けるための少なくとも１つの接続箇所２１を有しており、このとき接続箇所２１は、カバー形材２における開口２３を含んでいて、かつ多機能構成部材６は、第１の位置において開口２３を閉鎖しかつ第２の位置において開口２３を開放する、可動に支持されたカバー部材２４を含んでいるという構成を説明している。
【００５２】
図８ａには、載着要素２２を備えた引出し側壁１が斜め前から見た斜視図で示されている。開口２３は、図示の実施例では、引出し側壁１もしくはカバー形材２の前端部に配置されている。載着要素２２は、開口２３内に導入可能なピン４４を含んでいる。カバー部材２４は、開口２３内へのピン４４の導入によって、開口２３を覆う閉鎖位置を起点として、ばね要素３３のばね作用に抗して、開口２３を開放する開放位置に可動である。載着要素２２が中実の装飾プレート（例えばガラス製の）を有しているような場合には、ピン４４は、装飾プレートに結合可能なアダプタ部材に配置されていてよい。
【００５３】
図８ｂには、図８ａの円で囲まれた領域が拡大されて示されており、このとき載着要素２２の、開口２３内に導入すべきピン４４が見える。このときカバー部材２４は、開口２３を覆う閉鎖位置にある。図８ｃにおいてピン４４は、カバー部材２４に接触しており、下方に向かってのピン４４の継続的な移動によって、ピン４４はカバー部材２４を、ばね要素３３のばね作用に抗して、開口２３を開放する開放位置に押圧する（図８ｄに示されているように）。つまり載着要素２２のピン４４は、取付け位置において開口２３内に係合し、これによって引出し側壁１に対して相対的な載着要素２２の横方向および／または鉛直方向の移動が、阻止されているかまたは制限されている。載着要素２２は、ピン４４のための固定装置（図示せず）を含んでいてもよく、この固定装置によってピン４４は、引出し側壁１に対して相対的に形状結合式にまたは力結合式に固定可能である。ピン４４が再び開口２３から取り外される場合には、カバー部材２４は、ばね要素３３の作用によって自動的に、閉鎖位置にスナップ式に戻り、この閉鎖位置において開口２３は、カバー部材２４によって閉鎖されている。このようにして一方では、魅力的な外観が得られ、かつ他方では、引出し側壁１の内部への汚れの侵入を阻止することもできる。
【００５４】
最後に図９ａおよび図９ｂには、固定装置３の取付けプレート４０と多機能構成部材６の結合が示されている。図示の実施例ではこの結合は、スナップ兼係止結合部３４を介して行われ、このスナップ兼係止結合部３４は、多機能構成部材６に形成された２つのフック４５によって実現されていて、両フック４５は、取付けプレート４０の対応する開口４６内にスナップ式に結合もしくは係止する。もちろんまた、フック４５が取付けプレート４０に、かつ対応する開口４６が多機能構成部材６に配置されているような構成も、同様に良好に可能である。
【図１】
2021506489.tif 000003
【図２ａ】
2021506489.tif 000004
【図２ｂ】
2021506489.tif 000005
【図３ａ】
2021506489.tif 000006
【図３ｂ】
2021506489.tif 000007
【図３ｃ】
2021506489.tif 000008
【図３ｄ】
2021506489.tif 000009
【図４ａ】
2021506489.tif 000010
【図４ｂ】
2021506489.tif 000011
【図５ａ】
2021506489.tif 000012
【図５ｂ】
2021506489.tif 000013
【図５ｃ】
2021506489.tif 000014
【図６ａ】
2021506489.tif 000015
【図６ｂ】
2021506489.tif 000016
【図７】
2021506489.tif 000017
【図８ａ】
2021506489.tif 000018
【図８ｂ】
2021506489.tif 000019
【図８ｃ】
2021506489.tif 000020
【図８ｄ】
2021506489.tif 000021
【図９ａ】
2021506489.tif 000022
【図９ｂ】
2021506489.tif 000023
【国際調査報告】
2021506489.tif 000024
2021506489.tif 000025
2021506489.tif 000026
2021506489.tif 000027